(57)【要約】      （修正有）【課題】座席の背凭れ部に載置した状態で、使用者が座席に着座し、その背中をこの背凭れ用シート部材に倒せば、使用者の背面は、右肩部が後へ下がった状態の斜面状に位置決めされる背凭れ用シート部材を提供する。【解決手段】座席の背凭れ部に載置した状態で、使用者が座席に着座し、その背中をこの背凭れ用シート部材に倒せば、使用者の背面は、右肩部が後へ下がった状態の斜面状に位置決めされる。車両等の座席に使用すれば、使用者の着座した状態を補正するために使用者の脊椎は左回旋しようとして、右回旋の歪みを取り去ることができ、ひいては、筋肉疲労が生じるのを抑えることが出来る。臀部から頸部における筋肉の硬結、血行不良、疲労等を生じさせない優れた効果をもたらす。【選択図】図１
0003170129.tif 000002
【実用新案登録請求の範囲】
【請求項１】
クッションシート材からなり、座席等の背凭れ部に配置されて使用される背凭れ用シート部材において、前記クッションシート材の裏面は平面であるとともにその表面は左肩載置部から右方向に向かって下がり傾斜していることを特徴とする背凭れ用シート部材。
【請求項２】
前記クッションシート材は縦長であり、その表面が左側下端隅から右側上端隅に向かって下がり傾斜していることを特徴とする請求項１の背凭れ用シート部材。
【請求項３】
前記クッションシート材は略長方形状であり、横は使用者の胸肩幅と同程度、高さは同座位頚椎高と同程度の長さからなることを特徴とする請求項１又は請求項２の背凭れ用シート部材。
【請求項４】
前記傾斜角度が、６度から３0度の範囲であることを特徴とする請求項1，請求項２又は請求項３の背凭れ用シート部材。
【請求項５】
前記クッションシート材を座席の背凭れ部分に一体形成したことを特徴とする請求項1，請求項２，請求項３又は請求項４の背凭れ用シート部材。
【請求項６】
前記クッションシート材は略三角錐であり、この三角錐は、略直角状の左肩載置部から右側下端方向に向かって傾斜面を有する三角錐であり、仰臥位で横たわった使用者の左肩下に装着して利用することを特徴とする請求項１の背凭れ用シート部材。
【請求項７】
前記クッションシート材は略縦長の台形状であり、略直角状の左肩載置部から右側下端方向に向かって傾斜面を有し、この傾斜面は内側に湾曲していることを特徴とする請求項１の背凭れ用シート部材。
【考案の詳細な説明】
【技術分野】
【０００１】
この考案は背凭れ用シート部材に関し、車両（自動車，鉄道車両），劇場等における座席の背凭れ部分又は家庭用・事務用椅子の背凭れ部分に配置して使用したり、仰臥位姿勢の左肩下に装着して使用するものである。
【背景技術】
【０００２】
近年、座位姿勢の肉体的負担を軽減させることについて、座席の性能は向上してきている。ここに、肉体的負担とは、長時間の座った姿勢により該当する働き続ける筋肉疲労、体の前後左右のゆれ、同じ姿勢を維持することによって生じる筋肉のこわばりのことである。
【０００３】
これらの肉体的負担に対処する方法として、これまでに以下の方法及び装置が存在する。
【０００４】
(1).座席シート部の着座位置を可動化させた方法(実登録第2056406号，特許第3551453号，実登録第2109190号)。
【０００５】
(2).座席シート部の角度を可動化させた方法(特許第4384927号，特許第4185754号，特許第2534517号，特許第4170829号，特許第4015236号)。
【０００６】
(3).座席背凭れ部分に体圧分布を分散させる方法(特許第2664598号，特開2006-346223号，特許第3592317号)。
【０００７】
(4).座席背凭れ部分を縦方向に凹断面の形状にした方法(特開平8-117057号)。
【０００８】
(5).座席背凭れ部分に指圧用具を取り付けた方法(実開昭50-6191号)。
【０００９】
(6).座席背凭れ部分にクッション機能をも持たせた方法(実開昭62-31452号，特開昭61-238208号，特開2004-223055号，特開H8-224137号)。
【００１０】
(7).席背凭れ部分に縦方向に起伏の形状による方法(実開昭51-112707号，実開平5-34953号)。
【００１１】
(8).座席背凭れ部分に縦方向の傾斜角度をつけた方法(特開2000-253946号)。
【００１２】
(9).脱着が可能な座席背凭れ板で背凭れ部分の中央縦方向と背もたれ部分の下方横断面に特徴のある方法(特許第3438078号，実登録第1773569号，実願昭51-150811号)。
【００１３】
(10).背凭れの形状を脊椎、腰部に合わせたもの(実願昭61-199258号)。
【００１４】
(11).健康器具自体の形状が扁平型の半円柱状であるもの(ふくらはぎ)(特開2009-178288号)。
【００１５】
(12).健康器具の形状が段差をつけた直方体をしているもの（特開2009-268877号）。
【００１６】
(13).肩こり治療用の枕でその形状が一対の突起部を持つ特徴のあるもの(特開2005-152410)。
【００１７】
(14).敷用クッションで一対の凸面の形状を持つ特著のもの（特開2004-351217）。
【００１８】
(15).敷用クッションで上下左右中央部に傾斜面の形状のあるもの(特開2005-279239)。
【００１９】
(16).敷用クッションの形状が中央に溝を持つ特徴のあるもの(特開平11-76001)。
【００２０】
(17).クッションなどの健康器具の断面の形状が三角形であるもの(実登録第3075855号，特開平11-235254号，実開平３-41419号，実開昭47-20521号，特開2002-263146)。
【００２１】
(18).敷用クッションの断面の形状が半円形、三角形のもの（特開平11-76001号）。
【００２２】
(19).健康器具の断面の形状が扁平型三角状のもの(実開昭62-108915号)。
【００２３】
(20).自在に角度が傾斜する特徴のある座布団(実開昭56-117857号)。
【００２４】
(21).健康器具の形状が三つの部分円柱状であるもの(特開2002-300937)。
【００２５】
(22).敷用寝具が可変で起伏し身体を押圧するもの(実開昭63-66966号)。
【００２６】
(23).歪んだ脊椎の矯正を目的とした健康器具(特開2005-261864)。
【００２７】
【特許文献１】実登録第２０５６４０６号公報
【特許文献２】特許第３５５１４５３号公報，
【特許文献３】実登録第２１０９１９０号公報
【特許文献４】特許第４３８４９２７号公報
【特許文献５】特許第４１８５７５４号公報
【特許文献６】特許第２５３４５１７号公報
【特許文献７】特許第４１７０８２９号公報
【特許文献８】特許第４０１５２３６号公報
【特許文献９】特許第２６６４５９８号公報
【特許文献１０】特開２００６―３４６２２３号公報
【特許文献１１】特許第３５９２３１７号公報
【特許文献１２】特開平８―１１７０５７号公報
【特許文献１３】実開昭５０―６１９１号公報
【特許文献１４】実開昭６２―３１４５２号公報
【特許文献１５】特開昭６１―２３８２０８号公報
【特許文献１６】特開２００４―２２３０５５号公報
【特許文献１７】特開平８―２２４１３７号公報
【特許文献１８】実開昭５１―１１２７０７号公報
【特許文献１９】実開平５―３４９５３号公報
【特許文献２０】特開２０００―２５３９４６号公報
【特許文献２１】特許第３４３８０７８号公報
【特許文献２２】実登録第１７７３５６９号公報
【特許文献２３】実願昭５１―１５０８１１号公報
【特許文献２４】実願昭６１―１９９２５８号公報
【特許文献２５】特開２００９―１７８２８８号) 公報
【特許文献２６】特開２００９―２６８８７７号公報
【特許文献２７】特開２００５―１５２４１０号公報
【特許文献２８】特開２００４―３５１２１７号公報
【特許文献２９】特開２００５―２７９２３９号公報
【特許文献３０】特開平１１―７６００１号公報
【特許文献３１】実登録第３０７５８５５号公報
【特許文献３２】特開平１１―２３５２５４号公報
【特許文献３３】実開平３―４１４１９号公報
【特許文献３４】実開昭４７―２０５２１号公報
【特許文献３５】特開２００２―２６３１４６号公報
【特許文献３６】特開平１１―７６００１号公報
【特許文献３７】実開昭６２―１０８９１５号公報
【特許文献３８】実開昭５６―１１７８５７号公報
【特許文献３９】特開２００２―３００９３７号公報
【特許文献４０】実開昭６３―６６９６６号公報
【特許文献４１】特開２００５―２６１８６４号公報
【考案の開示】
【考案が解決しようとする課題】
【００２８】
しかしながら、かかる従来の方法及び装置にあっては、体重の重力負荷によって筋肉が受ける肉体的負担を軽減することを目的とするものであり、人の脊柱に存在している脊柱の歪みを軽減させることで体が受ける疲労を取り除くことは困難であるという不都合を有した。
【００２９】
この不都合を解消するために、考案者は鋭意研究した。
【００３０】
以下、その経緯に触れる。
【００３１】
考案者は219例の被験者について立位矢状面の姿勢分析を行なうと左肩甲帯は伸展位側へ右肩甲帯は屈曲位側に有意差をもって移動し、体幹胸部は横断面で左回旋していることを突き止めた(吉野和廣:「健常者と非特異的腰痛症並びに背部痛症者における仙腸関節変位像の統計分析  -筋骨格系疾患の発症機序を考えて(第一報)」-、日本カイロプラクティック徒手医学会誌、9：47-52、2008)。
【００３２】
また、考案者は上記体幹胸部の左回旋を起こす原因として骨盤の歪みによるものと推測を行った(吉野和廣：「健常者と非特異的腰痛者における仙腸関節可動性不全像の統計的分析」．第17回日本腰痛学会．2009年，於東京，吉野和廣，吉野和織:「左並びに右利き足被験者における右仙腸関節の外方変位像  筋骨格系疾患の発症機序を考えて（第三報）」-、日本カイロプラクティック徒手医学会誌、11：60-67，2010）。
【００３３】
更に、考案者は271例の被験者における脊椎の歪みを調べたところ、歪んだ椎骨数は平均5個/17個椎骨当たり有し、歪む方向はすべて右回旋であることを報告した(吉野和廣:「健常者と非特異的腰痛症並びに背部痛症者における脊柱変位像の分析  筋骨格系疾患の発症機序を考えて（第二報）」-、日本カイロプラクティック徒手医学会誌、10：32-36、2009)。
【００３４】
以上を要約すると骨盤の歪みが起因となり、姿勢において左側の肩が後ろへ右側は前方側の左回旋をしている。この姿勢を補正するために脊柱を右回旋させるが、この結果が脊椎は右回旋側に歪みを起こし、肩こり、首こりを生じている。
【００３５】
考案者は歪み方の機序を見出したことに基づき、即ち、脊柱に歪みが発生するメカニズムを逆に利用して脊椎の右回旋の歪みを軽減できることに着目し、この考案を完成した。
【課題を解決するための手段】
【００３６】
この考案に係る背凭れ用シート部材においては、クッションシート材からなり、座席等の背凭れ部に配置されて使用される背凭れ用シート部材において、前記クッションシート材の裏面は平面であるとともにその表面は左肩載置部から右方向に向かって下がり傾斜しているものである。
【００３７】
この場合、前記クッションシート材を縦長にし、その表面を左側下端隅から右側上端隅に向かって下がり傾斜させることができる。
【００３８】
この場合、前記クッションシート材を略長方形状にし、横は使用者の胸肩幅と同程度、高さは同座位頚椎高と同程度の長さにすることができる。
【００３９】
この場合、前記傾斜角度を、６度から３０度の範囲にすることができる。
【００４０】
この場合、前記クッションシート材を座席の背凭れ部分に一体形成することもできる。
【００４１】
また、前記クッションシート材を略三角錐にし、この三角錐を、略直角状の左肩載置部から右側下端方向に向かって傾斜面を有する三角錐にして、仰臥位で横たわった使用者の左肩下に装着して利用するようにすることもできる。
【００４２】
さらに、前記クッションシート材を略縦長の台形状にし、略直角状の左肩載置部から右側下端方向に向かって傾斜面を設け、この傾斜面を内側に湾曲させることもできる。
【考案の効果】
【００４３】
この考案に係る背凭れ用シート部材は上記のように構成されているため、即ち、クッションシート材からなり、座席等の背凭れ部に配置されて使用される背凭れ用シート部材において、前記クッションシート材の裏面は平面であるとともにその表面は左肩載置部から右方向に向かって下がり傾斜しているため、座席の背凭れ部に載置した状態で、使用者が座席に着座し、その背中をこの背凭れ用シート部材に倒せば、使用者の背面は、右肩部が後へ下がった状態の斜面状に位置決めされるものである。
【００４４】
よって、この背凭れ用シート部材を車両等の座席に使用すれば、使用者の着座した状態を補正するために使用者の脊椎は左回旋しようとして、右回旋の歪みを取り去ることができ、ひいては、筋肉疲労が生じるのを抑えることが出来るものである。即ち、座席に着座し背凭れに寄り掛かり長時間を同じ姿勢を保っても、この考案の背凭れシート部材により上部体幹は絶えず右回旋の負荷を受けるので脊椎は逆に左回旋の補正を行い、脊柱の歪みを生じさせないものである。この作用が臀部から頸部における筋肉の硬結、血行不良、疲労等を生じさせない優れた効果をもたらすものである。
【００４５】
この場合、前記クッションシート材を縦長にし、その表面を左側下端隅から右側上端隅に向かって下がり傾斜にすれば、背凭れ用シート部材の表面を捩れの状態にできるため、使用者の脊椎の左回旋を一層容易にすることができる結果、右回旋の歪みを容易に取り去ることができる。
【００４６】
この場合、前記クッションシート材を略長方形状にし、横は使用者の胸肩幅と同程度、高さは同座位頚椎高と同程度の長さにすれば、背凭れ用シート部材を使用者の背面に位置決めしやすいものである。
【００４７】
この場合、前記傾斜角度を、６度から３0度の範囲にすれば、脊柱は適度の違和感を感じながら右回旋負荷を享受することとなり、体は反射作用を起こし、上部胸椎から腰椎にかけて脊柱は左回旋の補正をもたらす。その結果、脊柱に存在している脊椎の右回旋の歪みを軽減させる効果を奏することができる。傾斜角度が６度未満では違和感を感じず、３0度以上では違和感が強すぎるので適度な軽減には至らない。
【００４８】
この場合、前記クッションシート材を座席の背凭れ部分に一体形成すれば、座席の背凭れ部分に対して背凭れ用シート部材の位置を常時適正に配置することができる。
【００４９】
また、前記クッションシート材を略三角錐にし、この三角錐を、略直角状の左肩載置部から右側下端方向に向かって傾斜面を有する三角錐にして、仰臥位で横たわった使用者の左肩下に装着して利用するようにすれば、使用者は、仰臥位で横たわった状態で簡単に使用することができる。
【００５０】
さらに、前記クッションシート材を略縦長の台形状にし、略直角状の左肩載置部から右側下端方向に向かって傾斜面を設け、この傾斜面を内側に湾曲させた場合には、仰臥位で横たわった使用者の左肩から左上半身に不快な圧迫感がなく安静の状態で、前記した傾斜角度を６度から３0度の範囲にした場合と同じメカニズム（（００４７）欄を参照のこと）に基づいて脊椎の歪みを軽減する効果を奏することができる。  
【考案を実施するための最良の形態】
【００５１】
この考案に係る背凭れ用シート部材は実施するにあたって下記の構成に最も主要な特徴を有する。
【００５２】
クッションシート材は、体重負荷によるねじれ状の変形がほとんどない固めの弾力性のある素材を使用する。例えば、ウレタン素材、樹脂形成物等である。
【００５３】
背凭れ用シート部材は縦長の長方形状であり、横は胸肩幅と同程度、高さは座位頚椎高と同程度の長さからなる。また、左側縦方向が厚く右側縦方向が薄くなっている。具体例として、横30〜60cm、縦40〜60cmで、成人の胸肩幅、頸椎高〜座高の平均サイズであり、左側縦方向の厚さが4〜8cm、右側縦方向の厚さが0.5〜2cm程度である。
【００５４】
また、背凭れ用シート部材の表面の傾斜角度が、６度から３０度の範囲である。
【００５５】
背凭れ用シート部材を一体形成する場合は、座席の背凭れ部に貼着することもできるし、背凭れ部とともに一体成型することもできる。
【００５６】
背凭れ用シート部材を略三角錐状にする場合、横方向の長さは２０〜４０cm,縦方向の長さは２０〜４０cmが適している。
【００５７】
背凭れ用シート部材を略縦長の台形状にする場合、上辺の横方向の長さは２０〜３０cm,下辺の横方向の長さは５〜１０cmが適している。
【実施例】
【００５８】
以下、この考案の実施例を図面に基づいて説明する。
【００５９】
図１はこの考案に係る背凭れ用シート部材の実施例の斜視図、図２は同使用状態の斜視図、図３は図２におけるIII矢視図、図４は図３におけるIV矢視の要部を示した図、図５は同実施例の第二使用状態の斜視図、図６は同実施例の第三使用状態の斜視図、図７は同第二実施例の斜視図、図８は同第三実施例の斜視図，図９は同第四実施例の斜視図、図１０は同第五実施例の斜視図、図１１は同第五実施例の使用状態図である。
【００６０】
図１において、Ｓはこの考案に係る背凭れ用シート部材、１０はそのクッションシート材である。このクッションシート材１０は略長方形状の縦長であり、体重負荷によるねじれ状の変形がほとんどない固めの弾力性のある素材によって形成されている。そして、その横辺の長さｋは使用者の胸肩幅と同程度（30〜60cm）、高さｈは同座位頚椎高と同程度（縦40〜60cm）であり、また、左側縦方向の厚さｔ1が4〜8cm、右側縦方向の厚さｔ２が0.5〜2cm程度である。
【００６１】
１１は左肩載置部であり、前記クッションシート材１０の表面１２に形成されている。この左肩載置部１１は使用者が使用する際に左肩部が当接する部分である(図３，図４を参照のこと)。前記クッションシート材１０の表面１２は、この左肩載置部１１から右方向（図においてＡ方向）に向かって下がり傾斜しているとともに左側下端隅１３から右側上端隅１４に向かって（図においてＢ方向）下がり傾斜している。なお、この傾斜角度は６度から３０度の範囲である。また、前記クッションシート材１０の裏面１５は略平面状に形成されている。
【００６２】
図２〜図４に基づいて、この背凭れ用シート部材Ｓの使用状態を説明する。
【００６３】
図において２０は車両（自動車）の座席であり、２１は着座部、２２は背凭れ部である。前記背凭れ用シート部材Ｓはこの背凭れ部２２にその上部を上方にした状態で載置されている。この状態で、運転者（使用者）Ｍが前記座席２０に着座し、その背中を前記背凭れ用シート部材Ｓに倒せば、使用者Ｍの背面は、右肩部が後へ下がった状態の斜面状に位置決めされ（図４を参照のこと）、この結果、使用者の着座した状態を補正するために使用者の脊椎は左回旋しようとして、右回旋の歪みを取り去ることができる。
【００６４】
図５は前記背凭れ用シート部材Ｓは家庭用椅子３０に使用した状態を示したものであり、また、図６は同事務用椅子４０に使用した状態を示したものである。いずれの場合も前記車両座席２０に使用した場合と同様の効果を奏することができる。
【００６５】
図７は前記背凭れ用シート部材Ｓを家庭用椅子３０の背凭れ部３２に一体形成した状態を示したものであり、また、図８は同事務用椅子４０の背凭れ部４２に一体形成した状態を示したものである。いずれの場合も背凭れ部３２，４２に対する背凭れ用シート部材Ｓの位置決めを一定にすることができ使用しやすいものである。
【００６６】
図９は第四実施例を示したものであり、前記クッションシート材１０を略縦長の台形状にしたものである。この前記クッションシート材１０においては、略直角状の左肩載置部１１から右側下端方向に向かって（図においてＣ方向）傾斜面を有し、この傾斜面は内側に湾曲１６している。なお、上辺の横方向の長さｋ１は２０〜３０cm,下辺の横方向の長さｋ２は５〜１０cm，が適している。なお、高さｈ及び左側縦方向の厚さｔ1は第一実施例の場合と同様である。
【００６７】
図１０は第五実施例を示したものであり、この三角錐状のクッションシート材１０は、略直角状の左肩載置部１１から右側下端方向に向かって（図においてＤ方向）傾斜面を有する三角錐であり、仰臥位で横たわった使用者Ｍの左肩下に装着して使用する（図１１を参照のこと）。なお、この場合、クッションシート材１０の横方向の長さｋは２０〜４０cm,縦方向の長さｈは２０〜４０cmが適している。左側縦方向の厚さｔ1は第一実施例の場合と同様である。
【産業上の利用可能性】
【００６８】
この考案に係る背凭れ用シート部材は、使用者の着座した状態を補正するために使用者の脊椎を左回旋させようとして、右回旋の歪みを取り去ることができ、ひいては、筋肉疲労が生じるのを抑えることが出来るものである。即ち、座席に着座し背凭れに寄り掛かり長時間を同じ姿勢を保っても、この考案の背凭れシート部材により上部体幹は絶えず右回旋の負荷を受けるので脊椎は逆に左回旋の補正を行い、脊柱の歪みを生じさせないものである。この作用が臀部から頸部における筋肉の硬結、血行不良、疲労等を生じさせない優れた効果をもたらすものである。
産業上の利用可能性は高いものである。
【図面の簡単な説明】
【００６９】
【図１】図１はこの考案に係る背凭れ用シート部材の実施例の斜視図である。
【図２】図２は同実施例の使用状態の斜視図である。
【図３】図３は図２におけるIII矢視図である。
【図４】図４は図３におけるIV矢視の要部を示した図である。
【図５】図５は同実施例の第二使用状態の斜視図である。
【図６】図６は同実施例の第三使用状態の斜視図である。
【図７】図７は同第二実施例の斜視図である。
【図８】図８は同第三実施例の斜視図である。
【図９】図９は同第四実施例の斜視図である。
【図１０】図１０は同第五実施例の斜視図である。
【図１１】図１１は同第五実施例の使用状態図である。
【符号の説明】
【００７０】
Ａ  …  Ａ方向
Ｂ  …  Ｂ方向
Ｃ  …  Ｃ方向
Ｍ  …  運転者（使用者）
Ｓ  …  背凭れ用シート部材
ｈ  …  高さ
ｋ  …  横辺の長さ
ｋ１  …  上辺の横方向の長さ
ｋ２  …  下辺の横方向の長さ
ｔ１  …  左側縦方向の厚さ
ｔ２  …  右側縦方向の厚さ
１０  …  クッションシート材
１１  …  左肩載置部
１２  …  表面
１３  …  左側下端隅
１４  …  右側上端隅
１５  …  裏面
１６  …  湾曲
２０  …  車両（自動車）の座席
２１  …  着座部
２２  …  背凭れ部
３０  …  家庭用椅子
３２  …  家庭用椅子の背凭れ部
４０  …  事務用椅子
４２  …  事務用椅子の背凭れ部
【図１】
0003170129.tif 000003
【図２】
0003170129.tif 000004
【図３】
0003170129.tif 000005
【図４】
0003170129.tif 000006
【図５】
0003170129.tif 000007
【図６】
0003170129.tif 000008
【図７】
0003170129.tif 000009
【図８】
0003170129.tif 000010
【図９】
0003170129.tif 000011
【図１０】
0003170129.tif 000012
【図１１】
0003170129.tif 000013